(57)【要約】【課題】外部装置を用いることなくその場で画面表示の文字列の変更を簡単に行うことができる表示装置等を提供する。【解決手段】表示手段４と、通常表示モードにおける表示画面構成用データを記憶する記憶手段３と、記憶手段に記憶されている表示画面構成用データの中から、１個または複数個の文字列データを抽出する文字列抽出手段２と、通常表示モードでは、前記表示画面構成用データに基づいて前記表示手段に通常画面を表示し、文字列変更モードでは、前記抽出された１個または複数個の文字列データを表示し、表示された文字列の中からいずれかの変更対象文字列が選択された場合には、その文字列の変更入力画面を表示する表示制御手段２と、文字列の変更入力画面において、変更後の文字列を入力する入力手段１と、前記入力された文字列のデータを、記憶手段に記憶された表示画面構成用データに反映させる変更実行手段２を備える。【選択図】  図１０
2007139831.tif 000002
【特許請求の範囲】
【請求項１】
表示手段と、
通常表示モードにおける表示画面構成用データを記憶する記憶手段と、
前記記憶手段に記憶されている表示画面構成用データの中から、１個または複数個の文字列データを抽出する文字列抽出手段と、
前記通常表示モードでは、前記表示画面構成用データに基づいて前記表示手段に通常画面を表示し、文字列変更モードでは、前記抽出された１個または複数個の文字列データを表示し、表示された文字列の中からいずれかの変更対象文字列が選択された場合には、その文字列の変更入力画面を表示する表示制御手段と、
前記文字列の変更入力画面において、変更後の文字列を入力する入力手段と、
前記入力された文字列のデータを、前記記憶手段に記憶された表示画面構成用データに反映させる変更実行手段と、
を備えたことを特徴とする表示装置。
【請求項２】
文字列変更の許否を予め設定可能となされている請求項１に記載の表示装置。
【請求項３】
前記変更実行手段は、文字列変更モードにおいて前記入力手段により入力された新たな文字列が、通常表示モードでの表示画面の許容表示エリアを超える長さの場合には、その入力の受付を禁止する請求項１に記載の表示装置。
【請求項４】
前記文字列抽出手段は、言語単位、画面単位、機能単位もしくはアプリケーション単位で文字列を抽出し、
前記表示制御手段は、文字列変更モードにおいて、言語単位、画面単位、機能単位もしくはアプリケーション単位で抽出された前記文字列を前記表示手段に一覧表示する請求項１に記載の表示装置。
【請求項５】
前記表示制御手段は、文字列抽出手段により抽出された文字列が一定の長さ以上のときは、文字列変更モードにおいては文字列の一部分のみを表示手段に表示し、その文字列が変更対象文字列として選択された場合には、変更入力画面において文字列全体を表示する請求項１に記載の表示装置。
【請求項６】
前記記憶手段は不揮発性である請求項１に記載の表示装置。
【請求項７】
前記変更実行手段は、文字列変更モードにおいて前記入力手段により入力された新たな文字列が、通常表示モードでの表示画面の許容表示エリアを超える長さの場合には、該文字列をスクロール表示可能となるように表示画面構成用データに反映させる請求項１に記載の表示装置。
【請求項８】
文字列変更モードにおいて、文字列の長さが通常表示モードでの表示画面の許容表示エリアを超える新たな文字列の入力を許可するか禁止するかを、予め設定可能となされている請求項１に記載の表示装置。
【請求項９】
前記記憶手段に記憶されている通常表示モードにおける表示画面構成用データの中から、１個または複数個の文字列データを抽出するステップと、
前記通常表示モードでは、前記表示画面構成用データに基づいて前記表示手段に通常画面を表示し、文字列変更モードでは、前記抽出された１個または複数個の文字列データを表示し、表示された文字列の中からいずれかの変更対象文字列が選択された場合には、その文字列の変更入力画面を表示するステップと、
前記文字列の変更入力画面において、変更後の文字列を入力するステップと、
前記入力された文字列のデータを、前記記憶手段に記憶された表示画面構成用データに反映させるステップと、
を備えたことを特徴とする表示装置に表示される文字列の変更方法。
【発明の詳細な説明】
【技術分野】
【０００１】
この発明は、画像形成装置の操作パネルなどに適用される文字列表示機能を有する表示装置、及び表示装置に表示される文字列の変更方法に関する。
【背景技術】
【０００２】
一般に、ＭＦＰ（Multi Function Peripherals）等の画像形成装置においては、操作パネルの表示部に、例えば「コピーできます」などの文字列を表示できるようにしてある。
【０００３】
従来、ワンタッチキーやメールアドレスに所定の内容を文字で登録して画面に表示させたり、登録内容を変更することは可能であったが、通常の操作画面に表示される文字列、例えば上記のような「コピーできます」などは変更することができなかった。
【０００４】
そこで、特許文献１には、表示画面に含まれる文字列を一覧表示し、表示された文字列の中から所望の文字列を外部装置から一度に編集し、表示画面の文字列が編集後の文字列になるように画像データを変更できるようにしたり、文字列の長さに応じてフォントサイズを変更できるようにした技術が開示されている。
【特許文献１】特開２００２−３２３６５号公報
【発明の開示】
【発明が解決しようとする課題】
【０００５】
しかしながら、上記特許文献１に記載された技術では、文字列の変更を外部装置を使って行うため、装置全体の構成が大掛かりとなってしまい、使い勝手が良くなかった。
【０００６】
この発明は、上記実情に鑑みてなされたものであり、外部装置を用いることなくその場で画面表示の文字列の変更を簡単に行うことができる表示装置、及び表示装置に表示される文字列の変更方法の提供を課題とする。
【課題を解決するための手段】
【０００７】
上記課題は以下の手段によって解決される。
（１）表示手段と、通常表示モードにおける表示画面構成用データを記憶する記憶手段と、前記記憶手段に記憶されている表示画面構成用データの中から、１個または複数個の文字列データを抽出する文字列抽出手段と、前記通常表示モードでは、前記表示画面構成用データに基づいて前記表示手段に通常画面を表示し、文字列変更モードでは、前記抽出された１個または複数個の文字列データを表示し、表示された文字列の中からいずれかの変更対象文字列が選択された場合には、その文字列の変更入力画面を表示する表示制御手段と、前記文字列の変更入力画面において、変更後の文字列を入力する入力手段と、前記入力された文字列のデータを、前記記憶手段に記憶された表示画面構成用データに反映させる変更実行手段と、を備えたことを特徴とする表示装置。
（２）文字列変更の許否を予め設定可能となされている前項１に記載の表示装置。
（３）前記変更実行手段は、文字列変更モードにおいて前記入力手段により入力された新たな文字列が、通常表示モードでの表示画面の許容表示エリアを超える長さの場合には、その入力の受付を禁止する前項１に記載の表示装置。
（４）前記文字列抽出手段は、言語単位、画面単位、機能単位もしくはアプリケーション単位で文字列を抽出し、前記表示制御手段は、文字列変更モードにおいて、言語単位、画面単位、機能単位もしくはアプリケーション単位で抽出された前記文字列を前記表示手段に一覧表示する前項１に記載の表示装置。
（５）前記表示制御手段は、文字列抽出手段により抽出された文字列が一定の長さ以上のときは、文字列変更モードにおいては文字列の一部分のみを表示手段に表示し、その文字列が変更対象文字列として選択された場合には、変更入力画面において文字列全体を表示する前項１に記載の表示装置。
（６）前記記憶手段は不揮発性である前項１に記載の表示装置。
（７）前記変更実行手段は、文字列変更モードにおいて前記入力手段により入力された新たな文字列が、通常表示モードでの表示画面の許容表示エリアを超える長さの場合には、該文字列をスクロール表示可能となるように表示画面構成用データに反映させる前項１に記載の表示装置。
（８）文字列変更モードにおいて、文字列の長さが通常表示モードでの表示画面の許容表示エリアを超える新たな文字列の入力を許可するか禁止するかを、予め設定可能となされている前項１に記載の表示装置。
（９）前記記憶手段に記憶されている通常表示モードにおける表示画面構成用データの中から、１個または複数個の文字列データを抽出するステップと、前記通常表示モードでは、前記表示画面構成用データに基づいて前記表示手段に通常画面を表示し、文字列変更モードでは、前記抽出された１個または複数個の文字列データを表示し、表示された文字列の中からいずれかの変更対象文字列が選択された場合には、その文字列の変更入力画面を表示するステップと、前記文字列の変更入力画面において、変更後の文字列を入力するステップと、前記入力された文字列のデータを、前記記憶手段に記憶された表示画面構成用データに反映させるステップと、を備えたことを特徴とする表示装置に表示される文字列の変更方法。
【発明の効果】
【０００８】
前項（１）の発明によれば、通常表示モードにおける表示画面構成用データが記憶手段に記憶され、記憶されている表示画面構成用データの中から、１個または複数個の文字列データが抽出される。そして、通常表示モードの他に文字列変更モードを備え、表示手段には、通常表示モードで、前記表示画面構成用データに基づいて通常画面が表示され、文字列変更モードで、前記抽出された１個または複数個の文字列データが表示される。そして、ユーザが、表示された文字列の中からいずれかの変更対象文字列を選択すると、その文字列の変更入力画面が表示され、ユーザは入力手段により変更後の文字列を入力することができ、入力された文字列のコードが、前記記憶手段に記憶された表示画面構成用データに反映される。
【０００９】
従って、ユーザは表示装置の表示画面を用いて、通常表示モードにおける表示画面の中の文字列を変更することができるから、外部装置を用いることなくその場で文字列の変更を簡単に行うことができ、使い勝手の良いものとなる。
【００１０】
前項（２）の発明によれば、文字列変更の許否を予め設定可能となされているから、その表示装置の管理者等にとって便利である。
【００１１】
前項（３）の発明によれば、文字列変更モードにおいて前記入力手段により入力された新たな文字列が、通常表示モードでの表示画面の許容表示エリアを超える長さの場合には、その入力の受付が禁止されるので、変更された文字列が表示エリアを超えることがなく、変更後の文字列全体を表示画面に確実に表示させることができる。
【００１２】
前項（４）の発明によれば、言語単位、画面単位、機能単位もしくはアプリケーション単位で文字列が抽出され、文字列変更モードにおいては、言語単位、画面単位、機能単位もしくはアプリケーション単位で抽出された前記文字列が前記表示手段に一覧表示されるから、全部の文字列を一覧表示する場合に比べて変更対象の文字列を特定しやすい。
【００１３】
前項（５）の発明によれば、文字列抽出手段により抽出された文字列が一定の長さ以上のときは、文字列変更モードにおいては文字列の一部分のみが表示手段に表示されるから、表示スペースの狭小化による他の文字列の表示への影響をなくすことができる。一方、その文字列が変更対象文字列として選択された場合には、変更入力画面において文字列全体が表示されるから、変更入力が容易になる。
【００１４】
前項（６）の発明によれば、記憶手段が不揮発性であるから、不用意に電源オフなどが発生しても、表示画面構成用データや変更した文字列のデータ等が消失するおそれはない。
【００１５】
前項（７）の発明によれば、文字列変更モードにおいて入力された新たな文字列が、通常表示モードでの表示画面の許容表示エリアを超える長さの場合には、該文字列をスクロール表示可能となるように表示画面構成用データに反映されるから、通常表示モードでの表示エリアを超える文字列への変更が可能となるとともに、通常表示モードでの表示画面では、スクロール操作によって文字列の全体を把握することができる。
【００１６】
前項（８）の発明によれば、文字列変更モードにおいて、文字列の長さが通常表示モードでの表示画面の許容表示エリアを超える新たな文字列の入力を許可するか禁止するかを、予め設定可能となされているから、スクロール機能の有無などを目安にして管理者等が前記許否を設定することができ、便利である。
【００１７】
前項（９）の発明によれば、ユーザは、表示装置の表示画面を用いて通常表示モードにおける表示画面の中の文字列を変更することができるから、外部装置を用いることなくその場で文字列の変更を簡単に行うことができ、使い勝手の良いものとなる。
【発明を実施するための最良の形態】
【００１８】
以下、この発明の一実施形態を図面に基づいて説明する。
【００１９】
図１は、この発明の一実施形態に係る表示装置が操作パネルに適用されたＭＦＰの電気的構成を示すブッロク図である。
【００２０】
図１において、このＭＦＰは、入力部１、表示部４、全体制御部２、データ記憶部３、画像読み込み部５およびプリント部６を備えている。前記入力部１と表示部４とで操作パネル７が構成されている。
【００２１】
前記入力部１は、表示画面の文字列の変更などに使用されるものであり、この実施形態では、例えば、表示部４を兼用したタッチパネル機能を有する液晶（ＬＣＤ）を想定しているが、マウスやキーボードなどの入力手段で構成したものであってもよい。
【００２２】
前記表示部４は、ＣＲＴやＥＬ素子などの各種ディスプレイ装置が適用可能であるが、この例では、上述のようにタッチパネル機能を有するＬＣＤを想定している。
【００２３】
前記全体制御部２は、表示部４の表示制御を始めＭＦＰの全体を統括制御する他に、表示部４の表示画面データを構成する部品データから文字列を抽出する機能や、さらに変更後の文字列のデータを表示画面データに反映させる機能や、各種の判断機能等を有している。
【００２４】
前記データ記憶部３は、ハードディスク（ＨＤＤ）やフラッシュＲＯＭ、パッテリバックアップされたＲＡＭなどの不揮発性メモリ（図示せず）を有しており、変更された文字列を含む表示画面データは、電源オフなどで消失しないように、不揮発性メモリに記憶されている。
【００２５】
前記画像読み込み部５は、原稿画像をスキャンして画像データを読み取る機能を有している。
【００２６】
前記プリント部６は、スキャンした画像データや外部から送信されてきた画像データを用紙にプリントするものである。
【００２７】
ここで、表示部４における表示画面を構成する画面データについて、図１４を参照して説明する。
【００２８】
図１４において、画面データは、同図（Ａ）に示すように、複数種（Ｎ個）のパーツ（部品）から構成されており、パーツ数（Ｎ）分のパーツデータ（１，２・・・Ｎ）へのポインタを持っている。各パーツはグラフィックパーツ及びテキストパーツからなる。
【００２９】
前記パーツデータは、同図（Ｂ）に示すように、パーツ種類、グラフィックパーツへのポインタ、テキストパーツへのポインタを持っている。
【００３０】
前記グラフィックパーツは、同図（Ｃ）に示すように、パーツ種類、幅、高さ、およびピットマップデータ列を持っている。
【００３１】
前記テキストパーツは、同図（Ｄ）に示すように、パーツ種類、幅、高さ、制御フラグ、文字列データへのポインタを持っており、固定長データである。
【００３２】
前記文字列データは、同図（Ｅ）に示すように、データ長および文字コード列を持ち、終端に００を持っている。
【００３３】
前記メッセージデータは、同図（Ｆ）に示すように、テキストパーツ、文字列データ（１〜Ｎ）および予備データ領域からなり、予備データ領域へのポインタ、予備データ領域長、未使用データへのポインタという制御データを持っている。
【００３４】
この実施形態における文字列の変更は、このメッセージデータ内に対して行われ、データ記憶部３のフラッシュメモリ、バッテリバックアップされたメモリ、ＨＤＤなどの不揮発性メモリに記憶するようになっている。
【００３５】
なお、ユーザ認証を行う装置では、メッセージデータをユーザ毎に別々に管理してもよい。
【００３６】
図２は、前記表示部４におけるメッセージ変更設定画面４ａ示す。
【００３７】
このメッセージ変更設定画面４ａにおいては、「メッセージ変更」についての「許可」、「禁止」を設定するためのタッチキー（ボタン）１１ａ，１１ｂがあり、また、「表示エリアを超える入力」についての「許可」、「禁止」を設定するためのキー１２ａ，１２ｂがある。
【００３８】
また、「一覧表示単位」については、「画面」、「アプリケーション（アプリ）」、「機能」、「言語」にそれぞれ対応するキー１３ａ，１３ｂ，１３ｃ，１３ｄがあり、いずれか一つを設定することができるようになっている。
【００３９】
つまり、「画面のメッセージを一覧表示する」、「アプリケーションで使用するメッセージを一覧表示する」、「機能別に使用するメッセージを一覧表示する」、「言語別に使用するメッセージを一覧表示する」か否かを、前記「画面」、「アプリケーション」、「機能」、「言語」の単位のキー１３ａ，１３ｂ，１３ｃ，１３ｄを選択して設定することができるようになっている。
【００４０】
さらに、メッセージ変更設定画面４ａには、前記「許可」、「禁止」、あるいは「画面」、「アプリケーション」、「機能」、「言語」の各キーの選択を確定する「ＯＫ」キー１４ａと、キャンセルする場合の「キャンセル」キー１４ｂが表示されている。
【００４１】
図３は、メッセージ変更設定画面４ａ（図２）で変更許可が設定されている場合に表示部４に表示される画面４ｂを示す。
【００４２】
即ち、前述のメッセージ変更設定画面４ａにおいて、メッセージ変更許可のために「許可」キー１１ａが押下され「ＯＫ」キーが押下されると、通常表示モードの表示画面の１つである基本設定画面４ｂが表示され、その画面左下に〔＊〕キーＰが表示される。なお、初期設定ではメッセージ変更は「禁止」となっており、〔＊〕キーＰは表示されない。すなわち、〔＊〕キーは、メッセージ変更許可状態であることを示す表示である。
【００４３】
この基本設定画面４ｂには、「コピーできます」のメッセージの他に「基本設定」、「集約／原稿」、「画質／濃度」、「応用設定」の各タブキーが表示されており、「基本設定」の内容を示す展開画面４ｃも表示されている。
【００４４】
前記展開画面４ｃには、「カラー」、「用紙」、「倍率」、「片面／両面」の各キーが表示され、さらに「ボックス保存」キー１６ａ、「連続読込」キー１６ｂ、「仕上り」キー１６ｃが表示されている。
【００４５】
また、「集約／原稿」、「画質／濃度」、「応用設定」の各タブキーを押すと、対応する画面が表示され、さらに「カラー」、「用紙」等の各キーを押した場合にも、対応する画面が表示されるものとなされている。
【００４６】
図３の基本設定画面４ｂにおいて、〔＊〕キーＰが押下されると、文字変更モードとなり、前述のメッセージ変更設定画面４ａ（図２）において設定された一覧の表示単位、つまり「画面」、「アプリ」、「機能」、「言語」のいずれかの単位に従ったメッセージの抽出が行われ、抽出されたメッセージの一覧表示が行われる。
【００４７】
例えば、メッセージ変更設定画面４ａ（図２）において、「画面」単位での抽出が設定されている場合には、〔＊〕キーＰが押下されると、図４の画面４００ａに示すように、通常表示モードの各画面である「基本設定画面」、「用紙選択画面」、「集約／原稿画面」、「画質／濃度画面」、「応用設定画面」、「カラー画面」・・・の各キーが一覧表示される。そして、いずれかの画面キーが押下されると、その画面で表示されるメッセージの一覧が抽出され、表示部４に表示されるものとなされている。
【００４８】
また、メッセージ変更設定画面４ａ（図２）において、「アプリケーション」単位での抽出が設定されている場合には、〔＊〕キーＰが押下されると、図５の画面４００ｂに示すように、「コピー」、「ファクス」、「スキャン」、「ボックス」の各アプリケーションキーが表示される。そして、いずれかのアプリケーションキーが押下されると、そのアプリケーションで使用されるメッセージの一覧が抽出され、表示部４に表示されるものとなされている。
【００４９】
また、メッセージ変更設定画面４ａ（図２）において、「機能」単位での抽出が設定されている場合には、〔＊〕キーＰが押下されると、図６の画面４００ｃに示すように、「ユーザ操作」、「ユニバーサル」、「ユーザ補助」、「プログラム」、「ユーティリティ」、「管理者設定」の各機能キーが表示される。そして、いずれかの機能キーが押下されると、その機能で使用されるメッセージの一覧が抽出され、表示部４に表示されるものとなされている。
【００５０】
また、メッセージ変更設定画面４ａ（図２）において、「言語」単位での抽出が設定されている場合には、〔＊〕キーＰが押下されると、図７の画面４００ｄに示すように、「日本語」、「英語」、「フランス語」、「イタリア語」、「ドイツ語」、「スペイン語」の各言語キーが表示される。そして、いずれかの言語キーが押下されると、その言語のメッセージの一覧が抽出され、表示部４に表示されるものとなされている。
【００５１】
この実施形態では、便宜上、「画面」単位での抽出が設定されており、また図４に示される画面キーの中から「基本設定画面」キーが押下されたものとして以下の説明を行う。
【００５２】
図４に示される画面キーの中から「基本設定画面」キーが押下されると、図３の基本設定画面４ｂで表示されているメッセージである「コピーできます」、「基本設定」、「集約／原稿」、「画質／濃度」、「応用設定」・・・が、図８のメッセージ一覧表示画面４ｄに示すように一覧表示される。メッセージを表示しきれない場合には、複数ページにわたって表示され、次ページキーや前ページキーでページ送りが可能となっている。
【００５３】
ユーザは、変更したいメッセージが表示されているキーを押下すると、後述するメッセージ詳細画面（図９）４ｅが表示される。
【００５４】
また、図８に示すメッセージ一覧表示画面４ｄにおいて、抽出されたメッセージの文字列が長いために他の文字列の表示スペースを損なうような場合には、そのメッセージの一部のみを表示してもよい。
【００５５】
図９のメッセージ詳細画面４ｅにおいては、メッセージの詳細が表示される。例えば、図８の一覧表示において、変更対象メッセージとして「コピーできます」が選択されると、その確認メッセージが表示され、「コピーできます」を幅「３８」、行「１」の範囲で書き換え入力可能となる。
【００５６】
ユーザは表示されているメッセージを変更する場合、「変更する」キー１８ａを選択すると、図１０のメッセージ変更用画面４ｆに遷移する。メッセージの変更を行わない場合には「キャンセル」キー１８ｂを押下する。
【００５７】
図１０のメッセージ変更用画面４ｆには、旧エリアに今までのメッセージが表示され、ユーザは新エリアのメッセージ「コピーできます」を変更する。この画面４ｆには、メッセージの変更入力のために、入力部１であるキーボード部ＫＢの他に、「キャンセル」キー１９ａと「ＯＫ」キー１９ｂが表示されており、変更入力は、既存のキーボードと同じ要領で行うことができる。
【００５８】
ユーザは、新エリアへの変更入力を終えると、［ＯＫ］キー１９ｂを押下する。すると、変更後の文字列のデータが、全体制御部２によりデータ記憶部３に記憶されている画面データに反映される。
【００５９】
このように、この実施形態では、表示画面における文字列変更を自装置の入力部１及び表示部４によって行えるから、外部装置を使う必要はない上、システムも簡素になる。
【００６０】
また、この実施形態では「画面」、「機能」、「アプリケーション」、「言語」の各単位毎にメッセージ（文字列）を抽出し一覧表示するから、メッセージの全部を一覧表示する場合に比べて、対象となるメッセージを特定し易いという利点がある。
【００６１】
また、図８に示すメッセージ一覧表示画面４ｄにおいて、メッセージの文字列が長いために一部のみが表示された場合であっても、このメッセージが選択されたときには、図９の画面４ｅ及び図１０の画面４ｆには、選択されたメッセージが全長にわたって表示されるようになっている。このため、長いメッセージであっても変更入力が容易になる。
【００６２】
図１１は、文字列変更処理を示すフローチャートである。
【００６３】
この文字列変更処理は、図１０に示すメッセージ変更用画面４ｆにおいて、ユーザが新メッセージの入力を終え［ＯＫ］キー１９ｂを押下した後に実行される処理である。
【００６４】
図１１において、ステップＳ１０１では、メッセージの新文字列が旧文字列よりも長いか否かを判断し、新文字列が旧文字列よりも長くないときは（ステップＳ１０１でＮＯ）、ステップＳ１１１では、データ記憶部３に記憶されている旧文字列に新文字列を上書き更新して本処理を終了する。新文字列が旧文字列よりも長いときは（ステップＳ１０１でＹＥＳ）、ステップＳ１０２に進む。
【００６５】
ステップＳ１０２では、予備領域に十分な大きさがあるか否かを判断し、予備領域に十分な大きさがないときは（ステップＳ１０２でＮＯ）、ステップＳ１１２では、空き領域不足を表示し、更新に失敗したことをユーザに通知して本処理を終了する。予備領域の大きさが十分であれば（ステップＳ１０２でＹＥＳ）、ステップＳ１０３に進む。
【００６６】
ステップＳ１０３では、ワーク１に予備領域の先頭ポインタを代入し、次いでステップＳ１０４で、予備領域に新文字列用の領域を確保するため、予備領域へのポインタに新文字列長を加算し、ステップＳ１０５で、予備領域長から新文字列長を減算する。
【００６７】
以上によりワーク１は、新文字列を入れる領域のポインタを示すことになるため、ステップＳ１０６では、ワーク１に新文字列をコピーする。
【００６８】
次にステップＳ１０７では、ワーク２に旧文字列へのポインタをコピーし、ステップＳ１０８で、編集したテキストパーツ内の文字列へのポインタをワーク１とする。
【００６９】
次いで、ステップＳ１０９では、ワーク２が指す旧文字列の領域に未使用領域へのポインタを記録したのち、ステップＳ１１０で、未使用領域へのポインタデータにワーク２を記録して本処理を終了する。以上により、未使用領域へのポインタから未使用領域のリンクが形成される。
【００７０】
このデータは、図示しない既存技術のガベージコレクションを行う際に利用する。
【００７１】
ところで、文字列の変更に際し、通常表示モードにおける表示画面の「表示エリアを超える入力」が許可されている場合、表示エリアを越える部分については、表示画面に表示されず隠れた状態になる。
【００７２】
そこで、この実施形態では、変更後の文字列をデータ記憶部３に記憶させる際に、文字列のスクロール表示が可能となるようにデータを設定する。
【００７３】
図１２は、スクロール表示の一例を説明するための基本設定画面４０ｂである。
【００７４】
この基本設定画面４０ｂの下部には、「ボックス保存」キー２０ａ、「連続読込」キー２０ｂ、「仕上がり」キー２０ｃが表示されており、「連続読込」キー２０ｂの４文字表示枠内に「連続読込み設定」という文字列を設定するものとする。
【００７５】
同図（Ａ）は、初期表示「連続読込」であり、この「連続読込」の右側にある右向き三角キーが押下されると、１文字スクロールされて同図（Ｂ）のように「続読込み」が表示される。さらに右向き三角キーが押下されると、同図（Ｃ）のように「読込み設」が表示される。このように三角キーが押下されるごとに、表示する文字列を１文字ずつスクロールし、枠内で表示する。
【００７６】
図１３は、スクロールの別の表示例を示す画面４０ｇである。
【００７７】
図１２と同様に「連続読込」表示されている４文字表示枠内に「連続読込み設定」という文字列を設定する。
【００７８】
この例では、一定時間ごとに表示が切り替えられることにより、同図（Ａ）から（Ｉ）へと１文字ずつ表示が自動的にスクロールされていき、同図（Ｉ）の後、元の表示（Ａ）に戻る。
【００７９】
このように、スクロール表示機能を持たせることにより、表示エリアを超えた文字列であってもその変更を行うことができるとともに、スクロール表示によって文字列の全体を容易に把握することができる。また、フォントサイズを小さくする必要がないので、文字列の字が潰れて見にくくなるような不具合もなくなる。
【図面の簡単な説明】
【００８０】
【図１】この発明の一実施形態に係る表示装置が操作パネルに適用された画像形成装置の電気的構成を示すブロック図である。
【図２】画像形成装置の表示部におけるメッセージ変更設定画面である。
【図３】メッセージ変更設定画面で変更許可が設定された状態で表示部に表示される基本設定画面である。
【図４】画面単位での文字列抽出が設定されているときのメッセージの一覧表示画面である。
【図５】アプリケーション単位での文字列抽出が設定されているときのメッセージの一覧表示画面である。
【図６】機能単位での文字列抽出が設定されているときのメッセージの一覧表示画面である。
【図７】言語単位での文字列抽出が設定されているときのメッセージの一覧表示画面である。
【図８】画面単位での文字列抽出が設定されている状態で、「基本設定画面」が選択された時に表示されるメッセージ一覧表示画面である。
【図９】メッセージ詳細画面である。
【図１０】メッセージ変更用画面である。
【図１１】文字列変更処理を示すフローチャートである。
【図１２】スクロール表示の一例を示す画面である。
【図１３】スクロールの別の表示例を示す画面である。
【図１４】画面データの構成の説明図である。
【符号の説明】
【００８１】
１          入力部
２          全体制御部（文字列抽出手段、表示制御手段、変更実行手段）
３          データ記憶部
４          表示部
７          操作パネル
【図１】
2007139831.tif 000003
【図２】
2007139831.tif 000004
【図３】
2007139831.tif 000005
【図４】
2007139831.tif 000006
【図５】
2007139831.tif 000007
【図６】
2007139831.tif 000008
【図７】
2007139831.tif 000009
【図８】
2007139831.tif 000010
【図９】
2007139831.tif 000011
【図１０】
2007139831.tif 000012
【図１１】
2007139831.tif 000013
【図１２】
2007139831.tif 000014
【図１３】
2007139831.tif 000015
【図１４】
2007139831.tif 000016